(57)【要約】【課題】  距離別の視力を、簡単かつ短時間で検査できるようにする。【解決手段】例えば、被検眼４から視標２までの光路１６の長さを一定に保持した状態で、視標呈示手段Ａを制御して視標２のサイズを所定のステップで大きくして行く。被検者が視標２を視認できたことが操作手段６ａの操作によって確認できた場合には、光路１６の長さを変えて同様の測定を行う。この装置によれば、視標２の大きさや光路１６の長さは自動的に変更され、検査者が装置を操作しながら質問し被検者が答えるという形式を採らなくても良いので、視力検査の手間や時間を軽減できる。【選択図】  図１
2005185395.tif 000002
【特許請求の範囲】
【請求項１】
被検者に視標を呈示する視標呈示手段と、
該呈示された視標と被検眼との間の光路の長さを調整して、所定の視標距離を設定することの出来る光路長さ調整手段と、
前記被検者により操作されて該被検者の視標認識の結果を信号として出力する操作手段と、
前記操作手段から出力される信号と、その時点での前記視標呈示手段が前記被検者に呈示している視標を対比することにより、前記被検者による視標認識の正誤を判定する視標認識判定手段と、
前記視標呈示手段及び前記光路長さ調整手段を制御することに基づき、前記光路の長さ及び前記視標の大きさの一方である第１パラメータを略一定にして他方の第２パラメータを変化させる検査パターンを実行して、前記視標認識判定手段による視力測定を行う第１制御手段と、
前記第１制御手段により、所定の第１のパラメータについて該第１パラメータを略一定にして前記第２パラメータを変化させて、所定の判定が終了したら、前記所定の第１パラメータを他の値に変更して、当該変更された第１のパラメータに基づいて前記視力測定を行うように前記第１制御手段に指令する、第２制御手段と、
を設けて構成した視力検査装置。
【請求項２】
前記検査パターンが、前記視標の見かけ上の大きさを第１パラメータとして略一定にして前記光路の長さを第２パラメータとして変化させる第１検査パターン、前記光路の長さを第１パラメータとして略一定にして前記視標の大きさを第２パラメータとして変化させる第２検査パターン、及び前記視標の実際の大きさを第１パラメータとして略一定にして前記光路の長さを第２パラメータとして変化させる第３検査パターンのいずれかである、
ことを特徴とする請求項１に記載の視力検査装置。
【請求項３】
前記第１乃至第３検査パターンの少なくとも２つの検査パターンを記憶しているメモリ手段と、
該メモリ手段に記憶されている検査パターンから、実行すべき検査パターンを選択する検査パターン選択手段と、
前記第１制御手段に指令を送って、前記検査パターン選択手段により選択された検査パターンを実行させる検査実行指令手段と、
を設けて構成した請求項２に記載の視力検査装置。
【請求項４】
被検者の瞳孔径を測定する瞳孔径測定手段、を備え、
前記視標呈示手段は、前記瞳孔径測定手段により測定された瞳孔径に応じて、前記視標の明るさ、背景光の明るさ又は前眼部照明の強度を調整するための調整手段を有する、
ことを特徴とする請求項１乃至３のいずれか１項に記載の視力検査装置。
【請求項５】
複数配置された請求項１に記載の視力検査装置と、
これら複数の視力検査装置が接続された中央管理装置と、
前記視標の見かけ上の大きさを第１パラメータとして略一定にして前記光路の長さを第２パラメータとして変化させる第１検査パターン、前記光路の長さを第１パラメータとして略一定にして前記視標の大きさを第２パラメータとして変化させる第２検査パターン、及び前記視標の実際の大きさを第１パラメータとして略一定にして前記光路の長さを第２パラメータとして変化させる第３検査パターンの少なくとも２つを記憶しているメモリ手段と、
前記中央管理装置に配置されて、前記メモリ手段に記憶されている検査パターンから、実行すべき検査パターンを選択する検査パターン選択手段と、
前記中央管理装置に配置されて、前記各視力検査装置の第１制御手段に指令を選択的に送って、前記検査パターン選択手段により選択された検査パターンを実行させる検査実行指令手段と、
を設けて構成した視力検査設備。
【発明の詳細な説明】
【技術分野】
【０００１】
本発明は、被検眼から視標までの光路の長さを変化させて視力を検査する視力検査装置、及び該視力検査装置を備えた視力検査設備に関する。
【背景技術】
【０００２】
従来、遠近両用のコンタクトレンズやメガネレンズなどの多焦点レンズが販売されているが、そのようなレンズの性能を確かめるには、距離別に視力を測定する必要がある。また、最近は、パソコンのモニターなどのＶＤＴ（Visual Display Terminal）を利用する時間が家庭や職場で飛躍的に伸びているが、そのＶＤＴが視力に与える影響を調べるには、遠距離だけでなく、５ｍ以内の近距離や中距離での視力を測定する必要がある。
【０００３】
そのための視力検査装置としては、
・  被検眼に対する視標の位置をラック＆ピニオン機構により調整可能に構成したもの（例えば、特許文献１参照）や、
・  視標を移動させるのではなくて、光路中に配置したミラーを移動させることにより、被検眼から視標までの光路の長さを変更するようにしたもの（例えば、特許文献２参照）、
が提案されている。
【０００４】
【特許文献１】特公昭４２−２５９９８号公報
【特許文献２】特開平７−２９９０３２号公報
【発明の開示】
【発明が解決しようとする課題】
【０００５】
しかしながら、これらの装置では、検査者が装置を操作しながら質問し被検者が答えるという形式で検査が行われたり、視標を簡単に変更することができなかったりして、視力検査に手間や時間が掛かってしまうという問題があった。
【０００６】
本発明は、短時間に簡単にかつ正確に距離別の視力を検査する視力検査装置、及び該視力検査装置を備えた視力検査設備を提供することを目的とするものである。
【課題を解決するための手段】
【０００７】
請求項１に係る発明は、例えば図１に例示するものであって、被検者に視標（２）を呈示する視標呈示手段（Ａ）と、
該呈示された視標（２）と被検眼（４）との間の光路（１６）の長さを調整して、所定の視標距離を設定することの出来る光路長さ調整手段（Ｂ）と、
前記被検者により操作されて該被検者の視標認識の結果を信号として出力する操作手段（６ａ）と、
前記操作手段（６ａ）から出力される信号と、その時点での前記視標呈示手段（Ａ）が前記被検者に呈示している視標（２）を対比することにより、前記被検者による視標認識の正誤を判定する視標認識判定手段（７）と、
前記視標呈示手段（Ａ）及び前記光路長さ調整手段（Ｂ）を制御することに基づき、前記光路（１６）の長さ及び前記視標（２）の大きさの一方である第１パラメータを略一定にして他方の第２パラメータを変化させる検査パターンを実行して、前記視標認識判定手段（７）による視力測定を行う第１制御手段（９ａ）と、
前記第１制御手段（９ａ）により、所定の第１のパラメータについて該第１パラメータを略一定にして前記第２パラメータを変化させて、所定の判定が終了したら、前記所定の第１パラメータを他の値に変更して、当該変更された第１のパラメータに基づいて前記視力測定を行うように前記第１制御手段（９ａ）に指令する、第２制御手段（９ｂ）と、を設けて構成した視力検査装置に関するものである。
【０００８】
請求項２に係る発明は、請求項１に係る発明において、前記検査パターンが、前記視標（２）の見かけ上の大きさを第１パラメータとして略一定にして前記光路（１６）の長さを第２パラメータとして変化させる第１検査パターン、前記光路（１６）の長さを第１パラメータとして略一定にして前記視標（２）の大きさを第２パラメータとして変化させる第２検査パターン、及び前記視標（２）の実際の大きさを第１パラメータとして略一定にして前記光路（１６）の長さを第２パラメータとして変化させる第３検査パターンのいずれかである、ことを特徴とする。
【０００９】
請求項３に係る発明は、請求項２に記載の発明において、前記第１乃至第３検査パターンの少なくとも２つの検査パターンを記憶しているメモリ手段（２０）と、
該メモリ手段（２０）に記憶されている検査パターンから、実行すべき検査パターンを選択する検査パターン選択手段（２１）と、
前記第１制御手段（９ａ）に指令を送って、前記検査パターン選択手段（２１）により選択された検査パターンを実行させる検査実行指令手段（２２）と、を設けて構成したものである。
【００１０】
請求項４に係る発明は、請求項１乃至３のいずれか１項に記載の発明において、被検者の瞳孔径を測定する瞳孔径測定手段（１５）、を備え、
前記視標呈示手段（Ａ）は、前記瞳孔径測定手段（１５）により測定された瞳孔径に応じて、前記視標（２）の明るさ、背景光の明るさ又は前眼部照明の強度を調整するための調整手段を有する、ことを特徴とする。
【００１１】
請求項５に係る発明は、図１０に例示するように、複数配置された請求項１に記載の視力検査装置（１）と、
これら複数の視力検査装置（１）が接続された中央管理装置（５３）と、
前記視標（２）の見かけ上の大きさを第１パラメータとして略一定にして前記光路（１６）の長さを第２パラメータとして変化させる第１検査パターン、前記光路（１６）の長さを第１パラメータとして略一定にして前記視標（２）の大きさを第２パラメータとして変化させる第２検査パターン、及び前記視標（２）の実際の大きさを第１パラメータとして略一定にして前記光路（１６）の長さを第２パラメータとして変化させる第３検査パターンの少なくとも２つを記憶しているメモリ手段（２０）と、
前記中央管理装置（５３）に配置されて、前記メモリ手段（２０）に記憶されている検査パターンから、実行すべき検査パターンを選択する検査パターン選択手段（５３ａ）と、
前記中央管理装置（５３）に配置されて、前記各視力検査装置（１）の第１制御手段（図１の符号９ａ参照）に指令を選択的に送って、前記検査パターン選択手段（５３ａ）により選択された検査パターンを実行させる検査実行指令手段（２２）と、を設けて構成した視力検査設備に関する。
【００１２】
なお、括弧内の番号などは、図面における対応する要素を示す便宜的なものであり、従って、本記述は図面上の記載に限定拘束されるものではない。
【発明の効果】
【００１３】
請求項１に係る発明によれば、被検者が操作手段を操作するだけで視力検査を実施することができ、検査者が装置を操作しながら質問し被検者が答えるという形式を採らなくても良いので、視力検査の手間や時間を軽減できる。
【００１４】
請求項２に係る発明によれば、視力測定のニーズに応じた多様な測定法を提供することができる。
【００１５】
請求項３に係る発明によれば、被検者のニーズ等に応じて検査パターンを変更することができる。
【００１６】
請求項４に係る発明によれば、瞳孔径に応じて視標の明るさ等を調整することにより、適正な視力測定を行うことができる。
【００１７】
請求項５に係る発明によれば、複数の視力検査装置による視力検査を中央管理装置によって一元的に管理することができ、視力検査の手間や時間を軽減できる。
【発明を実施するための最良の形態】
【００１８】
以下、図１乃至図１０に沿って、本発明の実施の形態について説明する。
【００１９】
ここで、図１は、本発明に係る視力検査装置の構造の一例を示すブロック図であり、図２は、視力検査方法を説明するためのフローチャート図であり、図３は、視力の検査結果の一例を示す図である。また、図４は、第１検査パターンによって検査した結果を示す図であって、視標の見かけ上の大きさを第１パラメータとし光路長さを第２パラメータとした場合の検査結果を示す図であり、図５は、第２検査パターンによって検査した結果を示す図であって、視標の大きさを第２パラメータとし光路長さを第１パラメータとした場合の検査結果を示す図であり、図６は、第３検査パターンによって検査した結果を示す図であって、視標の実際の大きさを第１パラメータとし光路長さを第２パラメータとした場合の検査結果を示す図である。さらに、図７(a) は、本発明に係る視力検査装置の構造の一例を示す模式図であり、(b) は接眼部の構造の一例を示す模式図であり、(c) は操作手段の構造の一例を示す図である。また、図８は、本発明に係る視力検査装置の構造の一例を示す模式図であり、図９は、本発明に係る視力検査装置の構造の一例を示す模式図である。さらに、図１０は、複数の視力検査装置を中央管理装置により集中管理するようにした視力検査設備の全体構成を示す模式図である。
(1)   まず、本発明に係る視力検査装置の構成について説明する。
【００２０】
本発明に係る視力検査装置１は、図１に示すように、被検者に視標２を呈示する視標呈示手段Ａと、該呈示された視標２と被検眼４との間の光路１６の長さを調整して、所定の視標距離を設定することの出来る光路長さ調整手段Ｂと、前記被検者により操作されて該被検者の視標認識の結果を信号として出力するジョイスティックレバー６ａ及び視力検査の開始を指示する測定開始スイッチ６ｂなどからなる操作手段６と、を備えている。
【００２１】
ここで、“光路１６の長さ”とは、一般的な“光路長（つまり、光学距離とも称されるものであって、屈折率が一定の媒質内で、二点間の或る経路に沿って進む光線について、経路に沿っての幾何学的長さ（距離）と屈折率との積）”を意味するのではなく、単に光路の幾何学的長さを意味するものとする。以下、本明細書において“光路長さ”とする。また、“視標距離”は、光路長さそれ自体ではなく、光路長さを実際の距離に換算したものを意味する。例えば、図７(a) (b) 及び図８では、符号１７で示す接眼レンズを配置することにより、レンズを配置しないで同様の機能を実現させるときよりも光路長さを短くしているが（詳細は後述）、該接眼レンズ１７を配置しなかった場合の実際の距離に換算したもの（レンズを配置した場合の見かけ上の距離）が“視標距離”に相当する。
【００２２】
そして、視標認識判定手段７が設けられていて、該手段７により、前記操作手段６ａから出力される信号と、その時点での前記視標呈示手段Ａが前記被検者に呈示している視標２を対比することにより、前記被検者による視標認識の正誤を判定するように構成されている。また、前記視標呈示手段Ａ及び前記光路長さ調整手段Ｂを制御する第１制御手段９ａが設けられていて、前記光路長さ及び前記視標２の大きさの一方である第１パラメータを略一定にして他方の第２パラメータを変化させる検査パターンを実行して、前記視標認識判定手段７による視力測定を行うように構成されている。さらに、前記第１制御手段９ａにより、所定の第１のパラメータについて前記検査パターンを実行して（つまり、該第１パラメータを略一定にして前記第２パラメータを変化させて）、前記視標認識判定手段７による所定の判定が終了したら（例えば、前記視標認識判定手段７が前記被検者による視標認識が正しいと判定した場合に）、前記所定の第１パラメータを他の値に変更して、当該変更された第１のパラメータに基づいて前記視力測定を行うように前記第１制御手段９ａに指令する第２制御手段９ｂが配置されている。本実施の形態によれば、被検者が操作手段６ａを操作するだけで視力検査を実施することができ、検査者が装置を操作しながら質問し被検者が答えるという形式を採らなくても良いので、視力検査の手間や時間を軽減できる。
【００２３】
ところで、上述のように第１制御手段９ａに実行させる検査パターンとしては、次の第１乃至第３検査パターンを挙げることができる。
・  前記視標２の見かけ上の大きさを第１パラメータとして略一定にして前記光路長さを第２パラメータとして変化させる第１検査パターン（図４参照）、
・  前記光路長さを第１パラメータとして略一定にして前記視標２の大きさを第２パラメータとして変化させる第２検査パターン（図５参照）、及び
・  前記視標２の実際の大きさを第１パラメータとして略一定にして前記光路長さを第２パラメータとして変化させる第３検査パターン（図６参照）、
【００２４】
ここで、“視標の見かけ上の大きさを一定にして前記光路長さを変化”とは、光路長さが長くても短くても被検者には視標のサイズが同じに見えるように、視標の実際の大きさを変化させている状態をいい、“視標の実際の大きさを一定にして前記光路長さを変化”とは、光路長さが長い場合には視標が小さく見え、光路長さが短くなるに従って視標が大きく見える状態をいう。本実施の形態によれば、視力測定のニーズに応じた多様な測定法を提供することができる。例えば、第１検査パターンによれば、視標があたかも静止していて変化していないように見えるので被検者に違和感を与えることなく視力検査を実施できる。第２検査パターンによれば、光路長さは一定にして視標の大きさだけを変化させるだけなので、両方を変化させる場合に比べて視力算定時の誤差を少なくできる。第３検査パターンによれば、視標の実際の大きさは一定にして光路長さだけを変化させるだけなので、視標は、被検者の視認結果が合った時点で別の大きさに変更すれば足り、視標の大きさを細かく変更して行く必要がないので、その分、担持させておく視標の数も少なくでき、装置のコンパクト化を図ることができる。なお、この場合、目の調節力の影響を防ぐため、視標の光源（例えば、図７(a) の符号２３４参照）を点灯・消灯することにより視標の呈示を間欠的に行い、かつ光源点灯中の数秒間は光路の長さを一定にさせておくのが望ましい。
【００２５】
ところで、上述した検査パターンの内の少なくとも１つをメモリ手段２０に記憶させておいて、前記第１制御手段９ａが、前記メモリ手段２０のデータに従い検査パターンを実行するようにすると良い。
【００２６】
上述した検査パターンの内の少なくとも２つをメモリ手段２０に記憶させておいて、検査パターン選択手段２１を設けて、選択手段２１からのパターン選択信号に応じて検査実行指令手段２２がメモリ手段２０に記憶されている検査パターンから、実行すべき検査パターンを選択し、前記第１制御手段９ａに指令を送って、前記検査パターン選択手段２１により選択された検査パターンを実行させるようにしても良い。この構成によれば、被検者のニーズ等に応じて検査パターンを変更することができる。なお、検査パターン選択手段２１はボタンやスイッチにより構成すると良い。
【００２７】
さらに、図１に示すように、前記光路長さと前記視標２の大きさとの関係から該光路長さにおける被検者の視力（視標距離別の視力）を算定する視力算定手段８、を配置し、該視力算定手段８による視力の算定は、前記操作手段６ａが前記被検者により操作されると共に前記視標認識判定手段７が所定の判定（例えば、前記被検者による視標認識が正しいという判定）をした場合に実行されるようにすると良い。そのようにした場合には、視力の算定は視力算定手段８によって自動的に行われ、人が算定する必要が無いので、視力検査の手間や時間を軽減でき、算定ミスも回避できる。
【００２８】
ところで、被検者の瞳孔径を測定する瞳孔径測定手段１５を設けると共に、該瞳孔径測定手段１５により測定された瞳孔径に応じて前記視標２の明るさ、背景光の明るさ又は前眼部照明の強度を調整するための調整手段（不図示）を前記視標呈示手段Ａに設けておいて、適正な視力測定を行えるようにしても良い。例えば、前記瞳孔径測定手段１５により測定される瞳孔径が所定の大きさ（即ち、測定に適した大きさ、或いは測定者が望む大きさの瞳孔径）となるように、前記調整手段によって視標の明るさ、背景光の明るさ、前眼部照明の光量を調整するようにすると良い。そのようにした場合には、瞳孔径の大きさ別に視力を測定することができる。この瞳孔径測定手段１５は、被検者の瞳孔径を測定するセンサ１２、及び該センサ１２からの結果に基づき瞳孔径を演算する瞳孔径演算手段１３により構成すると良い。センサ１２としてはＣＣＤを挙げることができる。視標の明るさを調整する方法としては、図７(a) に示すように、視標担持体２３１に透光性材料にて視標を形成し、視標担持体２３１の裏側に光源２３４を配置しておいて、該光源２３４の明るさを瞳孔径演算手段１３及び視標制御部２３２により制御する方法を挙げることができる。
【００２９】
なお、図７(a) 、図８及び図９に示すように、被検眼４に対向する位置には、被検眼４の視軸（視線）１８ａに対して傾くように第１ハーフミラーＭ１を配置して光軸を屈曲させ（図７(a) 及び図８の符号１８ｂ参照、図９の符号１８ｂ１参照）、後述する視標担持体２３１，３３１の視標２に対峙する位置には、前記屈曲された光軸１８ｂ、１８ｂ１に対して傾くように第２ハーフミラーＭ２を配置すると良い。このように構成した場合には、視標担持体２３１，３３１の視標の像は、第２ハーフミラーＭ２にて下方に反射されて光軸１８ｂ，１８ｂ１を辿り、鏡２５１，３５１，４５１，４５２，４５３にて反射された後は第２ハーフミラーＭ２を透過して第１ハーフミラーＭ１に反射されて、被検眼４に到達することとなる。
【００３０】
ところで、上述したセンサ１２は、第１ハーフミラーＭ１を挟んで被検眼４に対向する位置（つまり、視軸の延長線１８ａ´上）に配置すると良い。このように構成した場合には、光の一部が第１ハーフミラーＭ１を透過することを利用して被検眼４の瞳孔径を測定することができる。また、センサー１２は、視標２の光路（符号１８ｂ、１８ｂ１で示す光軸）とは干渉しない位置に配置することができる。
【００３１】
また、上述した視力算定手段８に、プリンタやモニタなどの表示手段１１を接続して、算定された視力と視標距離との関係（図３参照）を表示するようにすると良い。なお、図７(b) に示すように、接眼レンズ１７を２つ、シャッター１９を２つ設けておいて、それらのシャッターを開閉することにより、左眼、右眼、両眼のそれぞれについて測定を行えるようにすると良い。
【００３２】
さらに、上述したように視標が間欠的に視認されるようにするために視標の光源２３４を点灯／消灯させるようにしても良いが、シャッターを設けると共に該シャッターを開閉することにより視標が間欠的に視認されるようにしても良い。このシャッターを被検眼４の近くに配置して視標の見え方に影響が出るような場合には視標２の近く（図７(a) 及び図９に符号１４参照）に配置すると良い。
【００３３】
ところで、図１０に示すように、複数の視力検査装置１と、複数の検査パターンを記憶するメモリ手段２０と、これら複数の検査パターンの中から実行すべき検査パターンを選択する検査パターン選択手段５３ａ（２１）と、前記各視力検査装置の第１制御手段９ａに指令を選択的に送って前記選択された検査パターンによる視力測定を前記第１制御手段９ａに実行させる検査実行指令手段２２が配置された中央管理装置５３と、によって視力検査設備を構成すると良い。このような視力検査設備によれば、複数の視力検査装置１による視力検査をオペレータが中央管理装置５３によって一元的に管理することができ、視力検査の手間や時間を軽減できる。
【００３４】
なお、視力検査装置１は、視標呈示手段Ａ、光路長さ調整手段Ｂ、操作手段６ａ、視標認識判定手段７、第１制御手段９ａ及び第２制御手段９ｂによって構成すると良い。
【００３５】
また、視力検査装置１と中央管理装置５３とは、通信回線５０、ハブ５１及び通信回線５２によって接続すると良い。
【００３６】
ところで、図１０では、メモリ手段２０は中央管理装置５３の側に配置されているが、図１に示すように視力検査装置１の側に配置しても良い。このメモリ手段２０には、上述した第１乃至第３検査パターンの少なくとも２つを記憶させておくと良い。また、検査実行指令手段２２は前記中央管理装置５３の側に配置しておくと良い。
【００３７】
検査パターン選択手段５３ａによる検査パターンの選択は、視力検査装置毎に別々に行えるようにすると良い。
(2)   次に、各構成部品の具体的構成について、図７乃至図９に沿って説明する。
(2-1)   視標呈示手段について
【００３８】
視標呈示手段は、
・  図７(a) 及び図９に符号Ａ１で示すように、種々の視標を担持すると共に移動自在に構成された視標担持体２３１と、特定の視標が被検者に視認される位置まで該視標担持体２３１を移動させる視標制御部２３２と、により構成して、視標それ自体を視認させるようにしても、
・  図８に符号Ａ２で示すように、視標２を担持する視標担持体３３１と、該担持された視標２の虚像を形成する光学系３３３と、該光学系３３３の光軸方向の位置を制御して虚像の大きさを調整する視標制御部３３２と、により構成して、視標の虚像を視認させるようにしても、
良い。
【００３９】
図７(a) 及び図９に示す視標担持体２３１は、回転自在に支持された円板であるが、円板以外のものでも、回転以外の駆動をされるものでも良い。
【００４０】
図７(a) 及び図９の装置の場合には、視標担持体２３１に種々の大きさの視標を担持させておいて、視標の大きさを変更する場合には、視標担持体２３１を順次移動させる必要がある。一方の図８の装置の場合には、視標の大きさは光学系３３３及び視標制御部３３２により調整できるので、異なる大きさの視標を視標担持体３３１に担持させておく必要は無く、その分、視標担持体３３１をコンパクトにできる。例えば、視標にランドルト環を用いる場合には、切れ目の位置が上下左右の４種類だけを担持させておけば足りる。
(2-2)   光路長さ調整手段について
【００４１】
光路長さ調整手段は、
・  図７(a) に符号Ｂ１で示すように、光軸１８ｂに沿って移動自在に支持された平面鏡２５１と、該平面鏡２５１の位置を制御する光路長さ制御部２５２と、により構成しても、
・  図８に符号Ｂ２で示すように、光軸１８ｂに沿って移動自在に支持された凹面鏡３５１と、該凹面鏡３５１の位置を制御する光路長さ制御部３５２と、により構成しても、
良い。
【００４２】
ところで、鏡２５１，３５１を移動して光路長さを０．３ｍから１０ｍまでに変化させることが出来れば、図３に示す範囲（０．３ｍ〜１０ｍ）の視標距離での視力測定が可能となるが、装置が大型化すると共に、大きな設置スペースも必要となってしまう。これを回避する方法としては、
・  図７(a) (b) 及び図８に符号１７で示すように接眼レンズを配置して、光路長さを短くする方法や、
・  図９に示すように、光軸１８ｂ１，１８ｂ２に対して傾いた位置に配置される平面鏡４５１，４５２と、光軸１８ｂ２に対して直交するように配置される平面鏡４５３とを配置して、光軸１８ｂ１，１８ｂ２を折り返す方法、
を挙げることができる。なお、図９に示す装置においても、平面鏡４５１，４５２を光軸１８ｂ１，１８ｂ２に沿って移動自在にすると共に、平面鏡４５１，４５２の位置を光路長さ制御部４５４にて制御することにより、光路長さ調整手段Ｂ３を構成することができる。また、図９では、光軸１８ｂ１，１８ｂ２は１回だけ折り返されているが複数回折り返すようにしても良い。
【００４３】
ところで、図９のように平面鏡４５１，４５２，４５３を用いた構造のものでは、視標を変更しない状態では、光路長さが短くなるに従って視標は大きくなってしまい、図６の第３検査パターンのような計測は行えるものの、図４の第１検査パターンのような計測は行えない。第１検査パターンを実行するには、平面鏡４５１，４５２の位置に応じて視標担持体２３１の位置を制御し、視標の実際のサイズを変更して見かけ上のサイズを略一定にしてやる必要がある。また、第２検査パターンを実行するには、平面鏡４５１，４５２を所定位置に停止させた状況下で視標担持体２３１の位置を制御し、視標のサイズを所定のステップで大きくしてやる必要がある。これに対し、図７(a) に示す構成のものでは、レンズ１７の作用により平面鏡２５１の位置に関係なく視標の見かけの大きさを一定にすることができる。
【００４４】
一方、図８に示す構成のものでは、光学系３３３で、視標の大きさを調節してから凹面鏡３５１に平行光が入射されるようにすることにより、凹面鏡３５１の位置に関係なく、視標の見かけ上の大きさを略一定にできる。このため、検査時の駆動を簡素化でき、第１検査パターンの計測が容易となる。また、凹面鏡３５１の位置調整と光学系３３３の位置調整とをリンクさせることにより、第２検査パターンや第３検査パターンの計測もすることができる。
(2-3)   操作手段について
【００４５】
視標認識の結果を信号として出力する操作手段６ａとしては、レバー型スイッチや押しボタン等を挙げることができる。視標にランドルト環を用いて切れ目の位置を答えてもらうようにする場合には、上下左右に傾動可能なジョイスティック（図７(c) 参照）や、上下左右に配置した４つの押しボタンなどを使用すれば良い。
(3)   次に、図１に示す装置を用いた視力検査方法について図２を参照して説明する。但し、説明の便宜上、メモリ手段２０には検査パターンが１つだけ記憶されていて、検査パターンの選択ができないように構成されているとする。
【００４６】
被検者が、装置の接眼部（不図示）に眼を当てながら測定開始スイッチ６ｂを押すと、該スイッチ６ｂからの信号が第１制御手段９ａに送られて、該制御手段９ａは、検査パターンについてのデータをメモリ手段２０から読み出し、前記視標呈示手段Ａに視標２を呈示させると共に前記光路長さ調整手段Ｂにより光路長さを調整させて該検査パターン（つまり、前記第１乃至第３検査パターンのいずれか）を実行する。その結果、前記第１パラメータ（前記光路１６の長さ及び前記視標２の大きさの一方）が略一定とされて前記第２パラメータ（前記光路１６の長さ及び前記視標２の大きさの他方）が変化される（図２のＳ１参照）。
【００４７】
このとき、第２パラメータは、被検者に視標２が視認され易くなる方向に変化される。例えば、視標の大きさが第２パラメータとして選択されている場合には該視標のサイズが所定のステップで大きくなって行き、光路長さが第２パラメータとして選択されている場合には、
・  後述のような“(a) 遠距離側の検査”においては該光路長さが所定のステップで短くなって行き、
・  後述のような“(b) 近距離側の検査”においては該光路長さが所定のステップで長くなって行く（詳細は後述する）。
【００４８】
その間、被検者は、前記視標呈示手段Ａにより呈示される視標２を注視し、視標２を認識できたときにジョイスティックレバー（操作手段）６ａを操作すると（図２のＳ２参照）、その信号（視標認識の結果を示す信号）が視標認識判定手段７に送られて、被検者の視標認識の正誤が判定され（図２のＳ３参照）、視標認識判定手段７による視力測定が実行される。
【００４９】
前記被検者による視標認識が正しいと前記視標認識判定手段７が所定の判定（例えば、前記被検者による視標認識が正しいとする判定）をした場合は、該判定手段７からの信号が第２制御手段９ｂに送られ、該第２制御手段９ｂは前記所定の第１パラメータを他の値に変更して、当該変更された第１のパラメータに基づいて前記視力測定を行うように前記第１制御手段９ａに指令する（図２のＳ４，Ｓ５参照）。その結果、前記第１制御手段９ａは、変更された第１パラメータを略一定にして第２パラメータを変化させて次の視力測定（つまり、新たな第１パラメータ下での視力測定）を実行する（図２のＳ１参照）。
【００５０】
ところで、被検者の視標認識が間違っていると前記視標認識判定手段７が判定した場合には、前記第２制御手段９ｂによる第１パラメータの変更は行わせないで、同じ第１パラメータでの視力検査を続行させる（図２のＳ３，Ｓ１参照）。なお、前記視標認識判定手段７に報知手段（図１の符号１０参照）を接続しておいて、被検者の視標認識が間違っていると前記視標認識判定手段７が判断した場合にはその旨を被検者に報知するようにしても良い（図２のＳ７参照）。この報知手段１０としては、チャイムやブザー等を挙げることができる。
【００５１】
なお、メモリ手段２０に複数の検査パターンが記憶されていて、検査パターン選択手段２１により検査パターンを自由に選択できるように構成されている場合には、測定開始スイッチ６ｂを押す前に被検者又は検査者が検査パターン選択手段２１を操作すれば良い。すると、検査実行指令手段２２は前記第１制御手段９ａに指令を送って、選択された検査パターンを実行させる。
【００５２】
また、図１０に示す装置を用いた場合の視力検査方法は、上述した検査方法とほぼ同様であるが、検査パターン選択手段５３ａの操作は検査者が行うこととなる。
(4)   さらに、上述した視力検査方法の具体例を図４乃至図６を参照して説明する。
《第１検査パターン》
【００５３】
図４は、第１検査パターンによって検査した結果を示す図であって、視標の見かけ上の大きさを第１パラメータとし光路長さを第２パラメータとした場合の検査結果を示す図である。
【００５４】
本検査パターンでは、(a) 遠距離側の検査と、(b) 近距離側の検査とを行う。以下、それぞれについて説明する。
(a)   遠距離側の検査
【００５５】
視標の見かけ上の大きさを“視力１．５相当”のサイズにしておいて、光路長さ（正確には視標距離）を∞（無限遠）から所定のステップで短くして行く。その視標が視認されず第２パラメータが０．３ｍになると、視標の見かけ上の大きさを視力１．５相当から１．２相当のものへ変更する（図２のＳ８，Ｓ５参照）。
【００５６】
その状態で光路長さを∞（無限遠）から短くして行くが、いま、被検者が視標距離５ｍのところで操作手段６ａを操作したとする（図２のＳ２参照）。被検者の視標認識が正しいと判断されれば、視標の見かけ上の大きさを視力１．０相当に変更して（図２のＳ３，Ｓ４，Ｓ５参照）、同様の検査を繰り返す（同図のＳ１参照）。視標の見かけ上の大きさは、視力０．７相当→視力０．５相当→視力０．１相当と所定のステップで小さくして、それぞれについて視力を検査していく（同図のＳ１〜Ｓ４参照）。
(b)   近距離側の検査
【００５７】
視標の見かけ上の大きさを視力１．２相当にしておいて、光路長さ（正確には視標距離）を０．３ｍから０．５ｍ、１ｍと長くしていく。被検者が１ｍのところで操作手段６ａを操作したとして、その視標認識が正しいと判断されれば、視標の見かけ上の大きさを視力１．０相当に変更して（図２のＳ３，Ｓ４，Ｓ５参照）、同様の検査を繰り返す（同図のＳ１参照）。視標の見かけ上の大きさはは、視力０．７相当→視力０．５相当→視力０．１相当と所定のステップで小さくして、それぞれについて視力を検査していく（同図のＳ１〜Ｓ４参照）。
【００５８】
なお、全ての測定が終了した場合には、表示手段１１により測定結果を表示するようにすると良い（同図のＳ４，Ｓ５参照）。
【００５９】
この検査パターンによれば、光路長さが変化しても視標２の見かけ上の大きさは略一定なので、被検者には、視標２の位置があたかも変化していないような印象を与える。その結果、被検者に違和感を与えることなく視力検査を実施できる。
《第２検査パターン》
【００６０】
図５は、第２検査パターンによって検査した結果を示す図であって、視標の大きさを第２パラメータとし光路長さを第１パラメータとした場合の検査結果を示す図である。
【００６１】
光路長さを例えば∞（無限遠）に設定し、視標サイズを小さくしておいて、光路長さはそのままにして視標サイズを所定のステップで大きくして行く。被検者は操作手段６ａを操作することにより視力が０．７であることが分かる（図２のＳ１，Ｓ２，Ｓ３参照）。
【００６２】
次に、第１パラメータである光路長さを１０ｍに変更し、視標サイズをリセットして最小サイズとする（図２のＳ５参照）。被検者は操作手段６ａを操作することにより視力が１．２であることが分かる。同様の検査を、各光路長さにつき行うことにより、図５に示すような折れ線を求めることができる。
【００６３】
本検査パターンによれば、視力検査に際しては、光路長さは一定にして視標２の大きさだけを変化させるだけなので、両方を変化させる場合に比べて視力算定時の誤差を少なくできる。
《第３検査パターン》
【００６４】
図６は、第３検査パターンによって検査した結果を示す図であって、視標の実際の大きさを第１パラメータとし光路長さを第２パラメータとした場合の検査結果を示す図である。図中の×印は、被検者により操作手段６が操作されなかったり、操作されても視標認識判定手段７により“誤判定”と判断されたポイントを示し、図中の●印は、視標認識判定手段７により“正しい判定”と判断されたポイントを示す。
【００６５】
第１検査パターンでは、視標の見かけ上の大きさを一定にしていて、光路長さが長くても短くても視標は同じ大きさに見えるようにしたが、本検査パターンでは、視標の実際の大きさを一定にして第１パラメータとし、光路長さを第２パラメータとした。したがって、光路長さが長い場合には視標は小さく見え、光路長さが短い場合には視標は大きく見えることとなる。
【００６６】
本検査パターンでも、(a) 遠距離側の検査と、(b) 近距離側の検査とを行う。以下、それぞれについて説明する。
(a)   遠距離側の検査
【００６７】
視標を所定の大きさにしておいて、光路長さ（第２パラメータ）を∞（無限遠）から所定のステップで短くして行く。被検者からの応答があり（図２のＳ２参照）、その視標認識が合っている場合には（図２のＳ３参照）、視標のサイズを１段階小さくして、同様の検査を繰り返す（図２のＳ５，Ｓ１参照）。
(b)   近距離側の検査
【００６８】
視標を所定の大きさにしておいて、光路長さ（第２パラメータ）を０．３ｍから所定のステップで長くして行く。被検者からの応答があり（図２のＳ２参照）、その視標認識が合っている場合には（図２のＳ３参照）、視標のサイズを１段階小さくして、同様の検査を繰り返す（図２のＳ５，Ｓ１参照）。
【００６９】
なお、図６では、視力と視標距離との関係がリニアな関係になっているが、リニアな関係でなくても本検査方法を適用できる。その場合には、データテーブルを用意しておいて、視標の大きさと視標距離（光路長さ）とに基づき視力が求まるようにしておくと良い。
【００７０】
この第３検査パターンによれば、視力検査に際しては、視標２の実際の大きさは一定にして光路長さだけを変化させるだけなので、両方を変化させる場合に比べて視力算定時の誤差を少なくできる。また、視標２は、被検者の視標認識が合った時点で別の大きさに変更すれば足り、視標２の大きさを細かく変更して行く必要がないので、その分、担持させておく視標の数も少なくでき、装置のコンパクト化を図ることができる。なお、この場合、目の調節力の影響を防ぐため、上述のように視標の光源（図７(a) の符号２３４参照）を点灯・消灯させたりシャッターを開閉させたりすることにより視標の呈示を間欠的に行い、かつ視標呈示中の数秒間は光路の長さを一定にさせておくのが望ましい。
【００７１】
ところで、上述した第１〜第３検査パターンは、組み合せて用いても、或いは、上述のように検査パターン選択手段２１によって適宜選択できるようにしても良い。
【図面の簡単な説明】
【００７２】
【図１】図１は、本発明に係る視力検査装置の構造の一例を示すブロック図である。
【図２】図２は、視力検査方法を説明するためのフローチャート図である。
【図３】図３は、視力の検査結果の一例を示す図である。
【図４】図４は、第１検査パターンによって検査した結果を示す図であって、視標の見かけ上の大きさを第１パラメータとし光路長さを第２パラメータとした場合の検査結果を示す図である。
【図５】図５は、第２検査パターンによって検査した結果を示す図であって、視標の大きさを第２パラメータとし光路長さを第１パラメータとした場合の検査結果を示す図である。
【図６】図６は、第３検査パターンによって検査した結果を示す図であって、視標の実際の大きさを第１パラメータとし光路長さを第２パラメータとした場合の検査結果を示す図である。
【図７】図７(a) は、本発明に係る視力検査装置の構造の一例を示す模式図であり、(b) は接眼部の構造の一例を示す模式図であり、(c) は操作手段の構造の一例を示す図である。
【図８】図８は、本発明に係る視力検査装置の構造の一例を示す模式図である。
【図９】図９は、本発明に係る視力検査装置の構造の一例を示す模式図である。
【図１０】図１０は、複数の視力検査装置を中央管理装置により集中管理するようにした視力検査設備の全体構成を示す模式図である。
【符号の説明】
【００７３】
１          視力検査装置
２          視標
４          被検眼
６          操作手段
７          視標認識判定手段
８          視力算定手段
９ａ        第１制御手段
９ｂ        第２制御手段
１５        瞳孔径測定手段
１６        光路
２３１      視標担持体
２３２      視標制御部
２５２      光路長さ制御部
３３１      視標担持体
３３２      視標制御部
３３３      光学系
３５１      凹面鏡
３５２      光路長さ制御部
４５４      光路長さ制御部
Ａ          視標呈示手段
Ａ１          視標呈示手段
Ａ２          視標呈示手段
Ｂ          光路長さ調整手段
Ｂ１          光路長さ調整手段
Ｂ２          光路長さ調整手段
Ｂ３          光路長さ調整手段
【図１】
2005185395.tif 000003
【図２】
2005185395.tif 000004
【図３】
2005185395.tif 000005
【図４】
2005185395.tif 000006
【図５】
2005185395.tif 000007
【図６】
2005185395.tif 000008
【図７】
2005185395.tif 000009
【図８】
2005185395.tif 000010
【図９】
2005185395.tif 000011
【図１０】
2005185395.tif 000012